【事件の表示】
　特願２００３−　　３３５１「液晶表示装置」拒絶査定不服審判事件〔平成１５年　９月　５日出願公開、特開２００３−２４８２３７〕について、次のとおり審決する。
【結　論】
　本件審判の請求は、成り立たない。
【理　由】
１．手続の経緯・本願発明
　本願は、平成５年４月６日に出願した特願平５−７９８６５号の一部を平成１５年１月９日に新たな特許出願としたものであって、原審において、平成１５年７月２９日付で拒絶理由が通知され、これに対し、同年９月３０日に手続補正がなされたところ、同年１１月１９日付で拒絶査定がなされ、これに対し、同年１２月２６日に拒絶査定に対する審判請求がなされるとともに、平成１６年１月２０日に手続補正がなされたものであって、その請求項に係る発明は、上記手続補正がなされた明細書及び図面の記載からみて、特許請求の範囲の請求項１ないし３に記載されたものと認められるところ、請求項１に係る発明（以下、「本願発明」という。）は次のものである。
　　
「【請求項１】　一対の基板間のシール部の内側に挟持された液晶と、
　前記一対の基板のうち一方の基板に、表示領域に形成される画素トランジスタと、
　前記画素トランジスタに接続された配線と、
　前記画素トランジスタに接続された配線上に形成された絶縁膜を介して設けられた画素電極と、
　前記シール部の内側でかつ前記表示領域の外側に、前記表示領域の辺に対応して設けられた複数のドライバ回路と、
　前記ドライバ回路を構成するトランジスタと、
　前記ドライバ回路を構成するトランジスタに接続され前記画素トランジスタ側に延在する配線とを具備し、
　前記一対の基板のうち他方の基板には、共通電極を具備しており、
　前記表示領域の辺に対向した前記ドライバ回路を構成するトランジスタ及び前記ドライバ回路を構成するトランジスタに接続された配線の領域には、前記共通電極が対向しないことを特徴とする液晶表示装置。」
　　
２．引用例
　原査定の拒絶の理由に引用された特開昭６２−２５１７２３号公報（以下、「引用例１」という。）には、図面とともに以下の事項が記載されている。
　
　ａ．「〔産業上の利用分野〕
　本発明は、ドライバー内蔵アクティブマトリックス基板と対向電極基板と液晶からなるドライバー内蔵液晶パネルの構造に関する。」（１頁右欄８〜１１行）
　ｂ．「〔従来の技術〕
　アクティブマトリックス基板において、画素電極にデータを書きこむ非線形素子として絶縁ゲート型トランジスターまたは薄膜トランジスターを用いる場合、同一基板上に駆動回路を内蔵することが可能である。
　第２図は、透明絶縁基板上にマトリックス状に配置された薄膜トランジスターと周辺駆動回路から構成された液晶表示用ドライバー内蔵アクティブマトリックス基板の模式図である。１（Ｇ１〜Ｇｍ）は、タイミング線となるゲート線、２（Ｓ１〜Ｓｎ）は、データ線となるソース線であり、その交点に配置された薄膜トランジスター３により、データを画素電極４に書き込んでいる。５は、タイミング線駆動回路、６はデータ線駆動回路であり、この図では両側駆動の場合を示している。」（１頁右欄１２行〜２頁左上欄１０行）
　ｃ．「第３図は、従来の透過型ドライバー内蔵液晶パネルの概要断面図（ａ）と平面図（ｂ）である。透明絶縁基板７上に薄膜トランジスターを用いて画素電極を有するパネル表示領域８とタイミング線駆動回路５とデータ線駆動回路６と周辺接続用端子９を形成する。シール材１０を用いて対向透明電極１１を有する対向透明基板１２とアクティブマトリックスと駆動回路を形成した基板７を圧着し、封入口１３より液晶１４を封入したのち封止して液晶パネルが完成する。」（２頁左上欄１１〜２０行）
　ｄ．「第４図は、前記耐湿性を向上させた構造の断面図（ａ）と平面図（ｂ）であり周辺駆動回路を液晶中にとじこめているのが特徴である。液晶内は水分がほとんどないため、パシベーション膜をつける必要がなく耐湿性の問題は十分解決できるものである。」（２頁右上欄５〜１０行）
　ｅ．「〔発明が解決しようとする問題点〕
　しかし、前述の従来技術では、液晶の誘電率が１Φぐらいと比較的大きいため、駆動回路内の配線間容量や、対向電極１１と駆動回路内配線との間の容量が著しく増えるため、動作スピードが遅くなり適正な信号が伝播しないという問題点を発生する。・・・また駆動回路の駆動電圧が高い場合、対向電極との電圧が常に液晶に直流的に印加されるため、液晶の劣化が駆動回路上に発生し、パネル表示領域まで悲影響を及ぼすという問題点を有する。」（２頁右上欄１１行〜同頁左下欄６行）
　また、第２図および第４図からは、
　ｆ．「シール材１０の内側でかつパネル表示領域８の外側に、上記パネル表示領域８の辺に対応して設けられたタイミング線駆動回路５とデータ線駆動回路６が形成されており、上記タイミング線駆動回路５からはタイミング線１となるゲート線（Ｇ１〜Ｇｍ）が、また上記データ線駆動回路６からはデータ線２となるソース線（Ｓ１〜Ｓｎ）が、それぞれパネル表示領域８に向けて延在しており、その交点には薄膜トランジスター３が設けられ、上記薄膜トランジスター３が画素電極４に接続されている」点が見てとれる。
　したがって、上記ａ〜ｆの記載によれば、引用例１には、
「薄膜トランジスターを用いて画素電極４を有するパネル表示領域８とタイミング線駆動回路５とデータ線駆動回路６とを形成した透明絶縁基板７と、対向透明電極１１を有する対向透明基板１２とを、シール材１０を用いて圧着し、液晶１４を封入した液晶パネルであって、
　上記タイミング線駆動回路５とデータ線駆動回路６とは、上記シール材１０の内側でかつパネル表示領域８の外側に、上記パネル表示領域８の辺に対応して設けられており、
　上記タイミング線駆動回路５からはタイミング線１となるゲート線（Ｇ１〜Ｇｍ）が、また上記データ線駆動回路６からはデータ線２となるソース線（Ｓ１〜Ｓｎ）が、それぞれパネル表示領域８に向けて延在しており、その交点には薄膜トランジスター３が設けられ、上記薄膜トランジスター３が画素電極４に接続されている液晶パネル。」
との発明（以下、「引用例１発明」という。）が開示されていると認めることができる。
　　
　同じく実願平２−４５０８５号（実開平４−６０３０号）のマイクロフィルム（以下、「引用例２」という。）には、図面とともに以下の事項が記載されている。
　
　ｇ．「この実施例の液晶表示装置は、ＴＦＴアクティブマトリックス型のものであり、・・・この実施例は、画素電極３および画素選択ＴＦＴ４を形成した一方の基板１の電極形成面に設ける表示駆動回路１０を、一対の基板１，２を接着する枠状シール材８の外周面より内側に配置したものであり、この表示駆動回路１０は、その基板側縁側の縁部がシール材８の幅内に位置し、反対側の縁部がシール材８の内周面より若干の液晶９封入領域内に突出する位置に設けられている。」（６頁１６行〜７頁９行）
　ｈ．「なお、この表示駆動回路１０は、・・・基板１面にアモルファス・シリコンまたはポリ・シリコン半導体を用いた多数の薄膜トランジスタを形成して構成されたもので、前記基板１面の走査ラインおよびデータラインのライン端１１はそれぞれその表示駆動回路１０の入力側に接続されており、」（７頁９〜１５行）
　ｉ．「なお、上記実施例では、表示駆動回路１０を、その基板側の縁部がシール材８の幅内に位置し、反対側の縁部がシール材８の内周面より液晶封入領域内に突出する位置に設けているが、
この表示駆動回路は、その全体をシール材８の内周面より内側の液晶封入領域内に配置してもよい
　また、第１図からは、
　ｊ．「基板１の表示駆動回路１０、および走査ラインおよびデータラインのライン端１１が形成された領域に対向する基板２の領域には、対向電極５が形成されていない」点が見てとれる。
　
３．対比
　そこで、本願発明と引用例１発明とを以下に対比する。
　
　ア．引用例１発明の「透明絶縁基板７と対向透明基板１２」、「シール材１０」、「液晶１４」、「パネル表示領域８」、「薄膜トランジスター３」、「画素電極４」、「タイミング線駆動回路５とデータ線駆動回路６」、「対向透明電極１１」は、それぞれ本願発明の「一対の基板」、「シール部」、「液晶」、「表示領域」、「画素トランジスタ」、「画素電極」、「複数のドライバ回路」、「共通電極」に相当する。
　イ．引用例１発明の「薄膜トランジスター３」はゲート線（Ｇ１〜Ｇｍ）とソース線（Ｓ１〜Ｓｎ）との交点に形成された画素トランジスタであるから、引用例１発明が本願発明の「前記画素トランジスタに接続された配線」なる事項を有することは明らかである。
　ウ．引用例１発明のゲート線（Ｇ１〜Ｇｍ）とソース線（Ｓ１〜Ｓｎ）は、ドライバ回路であるタイミング線駆動回路５およびデータ線駆動回路６からそれぞれパネル表示領域８に向けて延在しており、また、上記ゲート線およびソース線が、ドライバ回路を構成する薄膜トランジスタに接続されていることは自明であるから、引用例１発明は本願発明の「前記ドライバ回路を構成するトランジスタと、前記ドライバ回路を構成するトランジスタに接続され前記画素トランジスタ側に延在する配線とを具備し、」なる事項を充足する。
　
　したがって、両者は、
「一対の基板間のシール部の内側に挟持された液晶と、前記一対の基板のうち一方の基板に、表示領域に形成される画素トランジスタと、前記画素トランジスタに接続された配線と、前記画素トランジスタに接続された画素電極と、前記シール部の内側でかつ前記表示領域の外側に、前記表示領域の辺に対応して設けられた複数のドライバ回路と、前記ドライバ回路を構成するトランジスタと、前記ドライバ回路を構成するトランジスタに接続され前記画素トランジスタ側に延在する配線とを具備し、前記一対の基板のうち他方の基板には、共通電極を具備する液晶表示装置。」
である点で一致し、次の点で相違している。
　　
［相違点１］本願発明の画素電極は、「画素トランジスタに接続された配線上に形成された絶縁膜を介して設けられた画素電極」であるのに対し、引用例１発明の画素電極は、画素トランジスタに接続されてはいるものの、画素トランジスタに接続された配線および絶縁膜との配置関係が明らかではない点。
　　
［相違点２］本願発明の共通電極は、「前記表示領域の辺に対向した前記ドライバ回路を構成するトランジスタ及び前記ドライバ回路を構成するトランジスタに接続された配線の領域には、前記共通電極が対向しない」ように配置されているのに対して、引用例１発明の共通電極のドライバ回路等に対する配置関係が明らかではない点。
　
４．判断
［相違点１］について
　本願発明の「画素トランジスタに接続された配線上に形成された絶縁膜を介して設けられた画素電極」、すなわち相違点１の構成は、周知技術にすぎない。
　必要であれば、原査定の拒絶理由に引用された特開昭６３−６８７２７号公報（第１図、３頁右上欄１６行〜同頁左下欄１２行）、同じく特開平１−１５６７２５号公報（第４，５図、２頁右上欄１３行〜同頁左下欄１２行、３頁左上欄５〜１４行）等を参照されたい。
　そして、上記相違点１は、引用例１発明に上記周知技術を適用することによって、容易になし得たことである。
　
［相違点２］について
　上記ｇ〜ｊの記載から見て、引用例２には、「多数の薄膜トランジスタを形成して構成された表示駆動回路１０を、その全体をシール材８の内周面より内側の液晶封入領域内に配置したＴＦＴアクティブマトリックス型の液晶表示装置において、表示駆動回路１０、および走査ラインおよびデータラインのライン端１１が形成された基板１の領域に対向する基板２の領域には、対向電極５が形成されていない液晶表示装置」なる事項が記載されていると認められる。
　上記事項と本願発明の相違点２に係る事項を対比すると、引用例２の「多数の薄膜トランジスタを形成して構成された表示駆動回路１０」、「走査ラインおよびデータラインのライン端１１」、「対向電極５」は、本願発明の「前記ドライバ回路を構成するトランジスタ」、「前記ドライバ回路を構成するトランジスタに接続された配線」、「共通電極」に相当するから、結局、引用例２には、本願発明の上記相違点２に係る事項がすべて記載されているといえる。
　そして、引用例１には、上記ｅに「駆動回路内の配線間容量や、対向電極１１と駆動回路内配線との間の容量が著しく増えるため、動作スピードが遅くなり適正な信号が伝播しないという問題点を発生する。・・・また駆動回路の駆動電圧が高い場合、対向電極との電圧が常に液晶に直流的に印加されるため、液晶の劣化が駆動回路上に発生し、パネル表示領域まで悲影響を及ぼすという問題点を有する。」旨記載されているように、液晶雰囲気内で駆動回路と対向電極が対向することの問題点が縷々指摘されている。しかも、対向電極は、その機能からみて、少なくとも表示領域に対向して形成されていれば十分なのであって、それ以外の周辺領域に対向電極を残置しておくべき積極的理由も格別見いだせない。
　したがって、引用例２の上記構成を引用例１発明に組み合わせるについては、十分な動機があるといえるから、上記相違点２は、引用例１発明および引用例２発明に基づいて容易に想到し得たことである。
　
５．むすび
　以上のとおり、本願発明は引用例１，２に記載された発明および周知技術に基づいて、当業者が容易に発明をすることができたものであるから、特許法第２９条第２項の規定により特許を受けることができない。
　よって、結論のとおり審決する。